(57)【要約】【課題】商用電源電圧波形が正負非対称な場合でも位相制御により安定した電力供給を行う。【解決手段】商用電源電圧の正負に対応したゼロクロス信号のパルス幅に応じて位相制御の位相角−ＯＮタイミングテーブルをそれぞれ有し、商用電源電圧の正負それぞれで独立したＯＮタイミングで位相制御を行う。【選択図】        図１
2004343821.tif 000002
【特許請求の範囲】
【請求項１】
交流電源から制御対象に供給される電力をＯＮ／ＯＦＦするスイッチング手段と、このスイッチング手段をＯＮするトリガ手段と、制御対象の制御結果値を検出する制御結果値検出手段と、商用電源のゼロクロスを検出するゼロクロス検出手段と、制御対象の制御目標値と制御結果値との偏差量に基づいて電源のＯＮデューティを決定すると共に該ＯＮデューティに基づいたＯＮタイミングでトリガ手段のＯＮを行い、ゼロクロス信号から所定時間後に供給電力をＯＮさせる位相制御手段を有する電力制御装置において、
該電力制御装置は商用電源電圧が正となる１半波に対応した該ゼロクロス信号の第１のパルス幅に応じて商用電源電圧が正となる１半波を制御上の分割数に分割する第１の分割手段と、商用電源電圧が負となる１半波に対応した該ゼロクロス信号の第２のパルス幅に応じて商用電源電圧が負となる１半波を制御上の分割数に分割する第２の分割手段とを有し、
商用電源電圧の正負に応じてそれぞれ独立したＯＮタイミング位相制御を行うことを特徴とする電力制御装置。
【請求項２】
前記ゼロクロス検出手段には商用電源電圧の半波整流波形を用いており、前記商用電源電圧が正となる１半波に対応した前記第１のパルス幅が前記ゼロクロス信号の立ち上がりから立ち下がりまでの時間、且つ前記商用電源電圧が負となる半周期に対応した前記第２のパルス幅が前記ゼロクロス信号の立ち下がりから立ち上がりまでの時間、またはその反対の組み合せであることを特徴とした請求項１の電力制御装置。
【請求項３】
前記ゼロクロス検出手段には商用電源電圧の全波整流波形を用いており、前記商用電源電圧が正となる１半波に対応した前記第１のパルス幅が前記ゼロクロス信号のＮ番目の立ち上がりからＮ＋１番目の立ち上がりまでの時間、且つ前記商用電源電圧が負となる１半波に対応した前記第２のパルス幅が前記ゼロクロス信号のＮ＋１番目の立ち上がりからＮ＋２番目の立ち上がりまでの時間、または前記商用電源電圧が正となる１半波に対応した前記第１のパルス幅が前記ゼロクロス信号のＮ番目の立ち下がりからＮ＋１番目の立ち下がりまでの時間、且つ前記商用電源電圧が負となる１半波に対応した前記第２のパルス幅が前記ゼロクロス信号のＮ＋１番目の立ち下がりからＮ＋２番目の立ち下がりまでの時間であることを特徴とした請求項１の電力制御装置。
【請求項４】
記録材上にトナー像を形成する画像形成部と、該トナー像を加熱して該記録材に定着させる定着装置と、該定着装置に供給する電力を制御する電力制御装置とを備える画像形成装置において、
前記電力制御装置を請求項１の電力制御によって構成し、
該加熱体としてセラミックヒータを使用するとともに、
該セラミックヒータに対向配置した加圧部材と、
該セラミックヒータと該加圧部材との間にて挟持搬送される定着フィルムとを備え、
該加圧部材と定着フィルムとの間に挟持搬送する記録材上のトナー像を該セラミックヒータによって加熱することを特徴とする画像形成装置。
【発明の詳細な説明】
【０００１】
【発明の属する技術分野】
本発明は、電力制御装置、及びこれを備えた画像形成装置に関する。
【０００２】
【従来の技術】
従来、複写機、レーザビームプリンタ等の画像形成装置において、紙などの記録材上に形成されたトナー像を定着させる定着装置（加熱装置）として、ハロゲンヒータを熱源とする熱ローラ式の熱定着装置やセラミックヒータを熱源とするフィルム加熱式の熱定着方式が用いられている。
【０００３】
一般に、ヒータはトライアック等のスイッチング素子を介して交流電源に接続されており、この交流電源により電力が供給される。定着器（定着装置）には温度検出素子、例えばサーミスタ感温素子が設けられており、この温度検出素子により定着器の温度が検出され、その検出温度情報をもとに、エンジンコントローラがスイッチング素子をオン／オフ制御することにより、ヒータへの電力供給をオン／オフし、定着器の温度が目標の一定温度に温度制御される。セラミックヒータへのオン／オフ制御は商用電源の位相制御又は波数制御により行われる。
入力商用電源の正から負又は負から正に切り替わるポイントを含み、電源電圧の大きさがある値以下になったことを報知する信号（以下「ゼロクロス信号」という）をもとに、トリガをかけて位相制御又は波数制御を行う。一般に、ゼロクロス信号はパルス信号であり、ゼロクロス信号がオフからオンに変化する立ち上がりのエッジでトリガをかけてヒータの制御を行っている。
【０００４】
このような定着器のヒータへの通電を位相制御する先行技術文献としては、例えば特開平０９−１０１７１８号公報、特開平０９−１０６２１５号公報、特開平１０−３３３４９０号公報、特開２０００−３５６２２号公報、特開２００１−３０５９０５号公報等の文献を挙げることができる。
【０００５】
【発明が解決しようとする課題】
従来、ゼロクロス信号の検出は実際に商用電源電圧が０Ｖになったことを検知することができないため、電源電圧を半波整流又は全波整流した波形がある閾値に到達したことにより代用している。電源電圧波形は電源事情や回路部品の特性のバラツキ、また、この閾値を基準とすることによって正負非対象な波形となり、これに伴いゼロクロス信号のパルス幅も電源電圧が正の時と負の時で違いが生じる。この場合、定着器の制御方法の一つである位相制御においては、電源電圧が正または負のどちらか片側にあたるゼロクロス信号の幅を測定し、その測定結果に基づいて制御しているため、電源電圧の正と負でゼロクロス信号の幅が異なる場合にはヒータへの供給電力が予定している電力に対してずれてしまう。ヒータへ供給される電力が多すぎる場合には余分な電力消費及び定着器の温度が高くなることによる付属部品の劣化、少なすぎる場合には定着不良という問題がある。
【０００６】
【課題を解決するための手段】
交流電源から制御対象に供給される電力をＯＮ／ＯＦＦするスイッチング手段と、このスイッチング手段をＯＮするトリガ手段と、制御対象の制御結果値を検出する制御結果値検出手段と、商用電源のゼロクロスを検出するゼロクロス検出手段と、制御対象の制御目標値と制御結果値との偏差量に基づいて電源のＯＮデューティを決定すると共に該ＯＮデューティに基づいたＯＮタイミングでトリガ手段のＯＮを行い、ゼロクロス信号から所定時間後に供給電力をＯＮさせる位相制御手段を有する電力制御装置において、該電力制御装置は商用電源電圧が正となる１半波に対応した該ゼロクロス信号の第１のパルス幅に応じて商用電源電圧が正となる１半波の制御上の分割数に分割する第１の分割手段と、商用電源電圧が負となる１半波に対応した該ゼロクロス信号の第２のパルス幅に応じて商用電源電圧が負となる１半波を制御上の分割数に分割する第２の分割手段とを有し、商用電源電圧の正負に応じてそれぞれ独立した位相制御を行うため、閾値に対して商用電源電圧の正負が非対象となっても制御対象に対して安定した電力の供給が可能となる。（請求項１）
具体的には前記ゼロクロス検出手段として商用電源電圧の半波整流波形を用いた場合には、前記商用電源電圧が正となる１半波に対応した前記第１のパルス幅が前記ゼロクロス信号の立ち上がりから立ち下がりまでの時間、且つ前記商用電源電圧が負となる半周期に対応した前記第２のパルス幅が前記ゼロクロス信号の立ち下がりから立ち上がりまでの時間、またはその反対の組み合せとする。（請求項２）
また、前記ゼロクロス検出手段として商用電源電圧の全波整流波形を用いた場合には、前記商用電源電圧が正となる１半波に対応した前記第１のパルス幅が前記ゼロクロス信号のＮ番目の立ち上がりからＮ＋１番目の立ち上がりまでの時間、且つ前記商用電源電圧が負となる１半波に対応した前記第２のパルス幅が前記ゼロクロス信号のＮ＋１番目の立ち上がりからＮ＋２番目の立ち上がりまでの時間、または前記商用電源電圧が正となる１半波に対応した前記第１のパルス幅が前記ゼロクロス信号のＮ番目の立ち下がりからＮ＋１番目の立ち下がりまでの時間、且つ前記商用電源電圧が負となる１半波に対応した前記第２のパルス幅が前記ゼロクロス信号のＮ＋１番目の立ち下がりからＮ＋２番目の立ち下がりまでの時間とする。（請求項３）
記録材上にトナー像を形成する画像形成部と、該トナー像を加熱して該記録材に定着させる定着装置と、該定着装置に供給する電力を制御する電力制御装置とを備える画像形成装置において、前記電力制御装置を請求項１の電力制御によって構成し、該加熱体としてセラミックヒータを使用するとともに、該セラミックヒータに対向配置した加圧部材と、該セラミックヒータと該加圧部材との間にて挟持搬送される定着フィルムとを備え、該加圧部材と定着フィルムとの間に挟持搬送する記録材上のトナー像を該セラミックヒータによって加熱することを特徴とする画像形成装置。（請求項４）
【０００７】
【発明の実施の形態】
以下に、本発明の実施の形態を図面に基づいて説明する。
【０００８】
（実施例１）
以下、本実施例を図面に基づき説明する。
【０００９】
図１は電子写真プロセスを用いた画像記録装置の概略構成図であり、例えばレーザビームプリンタの場合を示しており、かつカートリッジに非接触型ＩＣメモリを搭載している場合を示している。
【００１０】
レーザビームプリンタ本体１０１（以下、本体１０１）は、記録紙Ｓを収納するカセット１０２を有し、カセット１０２の記録紙Ｓの有無を検知するカセット有無センサ１０３、カセット１０２の記録紙Ｓのサイズを検知するカセットサイズセンサ１０４（複数個のマイクロスイッチで構成される）、カセット１０２から記録紙Ｓを繰り出す給紙ローラ１０５等が設けられている。そして、給紙ローラ１０５の下流には記録紙Ｓを同期搬送するレジストローラ対１０６が設けられている。また、レジストローラ対１０６の下流にはレーザスキャナ部１０７からのレーザ光に基づいて記録紙Ｓ上にトナー像を形成するカートリッジ１０８が設けられている。さらに、カートリッジ１０８の下流には記録紙Ｓ上に形成されたトナー像を熱定着する定着器１０９が設けられており、定着器１０９の下流には排紙部の搬送状態を検知する排紙センサ１１０、記録紙Ｓを排紙する排紙ローラ１１１、記録の完了した記録紙Ｓを積載する積載トレイ１１２が設けられている。
【００１１】
また、前記レーザスキャナ１０７は、後述する外部装置１２８から送出される画像信号（画像信号ＶＤＯ）に基づいて変調されたレーザ光を発光するレーザユニット１１３、このレーザユニット１１３からのレーザ光を後述する感光ドラム１１７上に走査するためのポリゴンモータ１１４、結像レンズ１１５、折り返しミラー１１６等により構成されている。
【００１２】
また、定着器１０９は定着フィルム１０９ａ、加圧ローラ１０９ｂ、定着フィルム内部に設けられた発熱体を備えたセラミックヒータ１０９ｃ、セラミックヒータ１０９ｃの発熱体の表面温度を検出するサーミスタ１０９ｄ，から構成されている。
【００１３】
また、メインモータ１２３は、給紙ローラ１０５には給紙ローラクラッチ１２４を介して、レジストローラ対１０６にはレジストローラ１２５を介して駆動力を与えており、更に感光ドラム１１７を含むカートリッジ１０８の各ユニット、定着器１０９、排紙ローラ１１１にも駆動力を与えている。
【００１４】
そして１２６はエンジンコントローラであり、レーザスキャナ部１０７、カートリッジ１０８、定着器１０９による電子写真プロセスの制御、前記本体１０１内の記録紙の搬送制御を行っている。
【００１５】
そして、１２７はビデオコントローラであり、パーソナルコンピュータ等の外部装置１３１と汎用のインタフェース（セントロニクス、ＲＳ２３２Ｃ等）１３０で接続されており、この汎用インタフェースから送られてくる画像情報をビットデータに展開し、そのビットデータをＶＤＯ信号として、エンジンコントローラ１２６へ送出している。
【００１６】
そして、前記カートリッジ１０８内は、公知の電子写真プロセスに必要な、感光ドラム１１７、１次帯電ローラ１１９、現像器１２０、転写帯電ローラ１２１、クリーナ１２２、アンテナ付非接触型ＩＣメモリユニット２０１等から構成されている。また、本体１０１内には非接触ＩＣメモリユニット２０１と通信を行うためにコイルアンテナ２０２、通信制御を行うための変復調回路を搭載した通信制御基板２０３が設けられている。
【００１７】
図２にセラミックヒータの駆動回路を示す。１は本画像形成装置を接続する交流電源で、本画像形成装置は商用電源をＡＣフィルタ２を介してセラミックヒータ１０９ｃへ供給することによりセラミックヒータ１０９ｃを発熱させる。このセラミックヒータ１０９ｃへの電力供給については、トライアック４により通電、遮断を行う。抵抗５、６は、トライアック４のためのバイアス抵抗でフォトトライアックカプラ７は、一次、二次間の沿面距離を確保するためのデバイスである。フォトトライアックカプラ７の発光ダイオードに通電することによりトライアック４をオンする。抵抗８は、フォトトライアックカプラ７の電源を制限するための抵抗であり、トランジスタ９によりオン／オフする。トランジスタ９は、抵抗１０を介してエンジンコントローラ１２６からのオン信号に従って動作する。
【００１８】
また、ＡＣフィルタ２を介した交流電源１は、ゼロクロス検知回路１１を介し、エンジンコントローラ１２６に商用電源１の電圧によりパルス幅が変化するゼロクロス信号として送出される。
【００１９】
図３にゼロクロス信号の検知回路を示す。１は本画像形成装置を接続する交流電源で、１５は交流電源波形を整流するダイオードブリッジである。また、交流電源はダイオード１６により半波整流され、さらに抵抗１７、１８により分圧された電圧がトランジスタ１９のＯＮ電圧以下の時は、トランジスタ１９はＯＦＦとなり、フォトカプラ２０側に電流が流れ、フォトカプラ２０がＯＮとなるため、結果としてゼロクロス信号はＬとなる。逆に抵抗１７、１８により分圧された電圧がトランジスタ１９のＯＮ電圧以上の時は、トランジスタ１９はＯＮとなり、フォトカプラ２０側には電流が流れないためフォトカプラ２０はＯＦＦとなり、結果としてゼロクロス信号はＨとなる。また、図４には交流電源からゼロクロス信号が形成されるまでの流れを示す。
エンジンコントローラ１２６はゼロクロス信号のパルス幅を検出し、このパルス幅を基に位相制御によりトライアック４をオン／オフする。
【００２０】
また、図２中の１０９ｄはセラミックヒータ１０９ｃの温度を検知するための温度検出素子、例えば、サーミスタ感温素子である。この温度検出素子１０９ｄによって検出される温度は、抵抗１３と温度検出素子１０９ｄとの分圧として検出され、エンジンコントローラ１２６にＴＨ信号としてＡ／Ｄ入力される。セラミックヒータ１０９ｃの温度は、ＴＨ信号としてエンジンコントローラ１２６において監視され、エンジンコントローラ１２６の内部で設定されているセラミックヒータ１０９ｃの設定温度と比較することによって、セラミックヒータ１０９ｃに供給するべき電力を算出し、その供給する電力に対応した位相角に換算し、その制御条件によりエンジンコントローラ１２６がトランジスタ９にオン信号を送出する。
【００２１】
また、セラミックヒータ１０９ｃに電力を投入するにあたって、エンジンコントローラ１２６はゼロクロス信号の立ち上がり又は立ち下がりからの時間（トランジスタ９をオンすべき位相角に相当する時間）で制御している。つまり、エンジンコントローラ１２６はゼロクロス信号の立ち上がりから立ち下がりまでの時間、又は立ち下がりから立ち上がりまでの時間のどちらかの時間を測定することによって電源電圧の周波数を認識しており、その周波数に応じて電力投入を開始するべき位相角に相当するゼロクロス信号の立ち上がり又は立ち下がりからの時間のテーブルを有している。
【００２２】
ここで図４に示したようにゼロクロス検知において商用電源電圧の半波整流波形を使用するとゼロクロス信号のＨとＬのパルス幅（Ｔａ、Ｔｂ）に違いが生じてしまうため、図４中のヒータＯＮ信号に示すようにｔａ＝ｔｂとなると商用電源電圧の正負のどちらかで、投入すべき位相角とはずれた角度で電力投入を行ってしまう。
【００２３】
そこで本実施例のように、ゼロクロス信号のＨとＬのそれぞれに対応した位相角−ヒータＯＮタイミングのテーブルを有することによって、電源電圧波形の正負に対して位相角がずれることなく安定した電力供給を行うことが可能となる。
【００２４】
次に、本実施例における流れを図５のフローチャートを用いて説明する。
【００２５】
はじめに本体１０１の電源を入れる（Ｓ１）と、ゼロクロス検知回路において商用電源電圧を半波整流する（Ｓ２）。ゼロクロス信号を形成する（Ｓ３）。形成したゼロクロス信号のＨ側のパルス幅を測定する（Ｓ４）。形成したゼロクロス信号のＬ側のパルス幅を測定する（Ｓ５）。（Ｓ４）で測定したパルス幅に基づきゼロクロス信号がＨの時の位相角−ヒータＯＮタイミングテーブルを決定する（Ｓ６）。また、（Ｓ５）で測定したパルス幅に基づきゼロクロス信号がＬの時の位相角−ヒータＯＮタイミングテーブルを決定する（Ｓ７）。スタンバイ状態に入る（Ｓ８）。その後、プリント命令があると（Ｓ９）ゼロクロスの正負に応じてそれぞれ（Ｓ６）（Ｓ７）で決定したテーブルに基づいて位相制御によりセラミックヒータへの電力供給を開始する（Ｓ１０）。
（実施例２）
本実施例は全体的な構成は実施例１とほとんど同じであるがゼロクロス検知において商用電源電圧を全波整流する点が異なる。
【００２６】
図６にはゼロクロス検知回路、図７には交流電源の全波整流波形からゼロクロス信号が形成されるまでの流れを示す。
【００２７】
実施例１と同様に、セラミックヒータ１０９ｃに電力を投入するにあたって、エンジンコントローラ１２６はゼロクロス信号の立ち上がりからの時間（トランジスタ９をオンすべき位相角に相当する時間）で動作している。つまり、エンジンコントローラ１２６はゼロクロス信号の立ち上がりから次の立ち上がりまでの時間を測定することによって電源電圧の周波数を認識しており、その周波数に応じて電力投入を開始するべき位相角に相当するゼロクロス信号の立ち上がりからの時間のテーブルを有している。
【００２８】
ここで図７に示したようにゼロクロス検知において商用電源電圧の全波整流波形を使用すると電源事情又は部品のバラツキによってはゼロクロス信号のＮ番目の立ち上がりからＮ＋１番目の立ち上がりまでの時間ＴｃとＮ＋１番目の立ち上がりからＮ＋２番目の立ち上がりまでの時間Ｔｄに違いが生じてしまうため、図７中のヒータＯＮ信号に示すようにｔｃ＝ｔｄとなると商用電源電圧のＮ番目の立ち上がりからＮ＋１番目の立ち上がりまでとＮ＋１番目の立ち上がりからＮ＋２番目の立ち上がりまでのどちらかで、投入すべき位相角とはずれた角度で電力投入を行ってしまう。
【００２９】
そこで本実施例のように、ゼロクロス信号のＮ番目の立ち上がりからＮ＋１番目の立ち上がりまでの時間とＮ＋１番目の立ち上がりからＮ＋２番目の立ち上がりまでのそれぞれに対応した位相角−ヒータＯＮタイミングのテーブルを有することによって、電源電圧波形に対して位相角がずれることなく安定した電力供給を行うことが可能となる。
【００３０】
次に、本実施例における流れを図８のフローチャートを用いて説明する。
【００３１】
はじめに本体１０１の電源を入れる（Ｓ１）と、ゼロクロス検知回路において商用電源電圧を全波整流する（Ｓ２）。ゼロクロス信号を形成する（Ｓ３）。形成したゼロクロス信号のＮ番目の立ち上がりからＮ＋１番目の立ち上がりまでの時間を測定する（Ｓ４）。形成したゼロクロス信号のＮ＋１番目の立ち上がりからＮ＋２番目の立ち上がりまでの時間を測定する（Ｓ５）。（Ｓ４）で測定した時間に基づきゼロクロス信号のＮ番目の立ち上がりからＮ＋１番目の立ち上がりまでの間の位相角−ヒータＯＮタイミングテーブルを決定する（Ｓ６）。また、（Ｓ５）で測定した時間に基づきゼロクロス信号がＮ＋１番目の立ち上がりからＮ＋２番目の立ち上がりまでの間の位相角−ヒータＯＮタイミングテーブルを決定する（Ｓ７）。スタンバイ状態に入る（Ｓ８）。その後、プリント命令があると（Ｓ９）、（Ｓ６）（Ｓ７）で決定したテーブルに基づいて位相制御によりセラミックヒータへの電力供給を開始する（Ｓ１０）。
【００３２】
【発明の効果】
以上説明したように、交流電源から制御対象に供給される電力をＯＮ／ＯＦＦするスイッチング手段と、このスイッチング手段をＯＮするトリガ手段と、制御対象の制御結果値を検出する制御結果値検出手段と、商用電源のゼロクロスを検出するゼロクロス検出手段と、制御対象の制御目標値と制御結果値との偏差量に基づいて電源のＯＮデューティを決定すると共に該ＯＮデューティに基づいたＯＮタイミングでトリガ手段のＯＮを行い、ゼロクロス信号から所定時間後に供給電力をＯＮさせる位相制御手段を有する電力制御装置において、該電力制御装置は商用電源電圧が正となる１半波に対応した該ゼロクロス信号の第１のパルス幅に応じて商用電源電圧が正となる１半波の制御上の分割数に分割する第１の分割手段と、商用電源電圧が負となる１半波に対応した該ゼロクロス信号の第２のパルス幅に応じて商用電源電圧が負となる１半波を制御上の分割数に分割する第２の分割手段とを有し、商用電源電圧の正負に応じてそれぞれ独立した位相制御を行うことにより、安定した電力供給が可能となる。
【００３３】
具体的には、ゼロクロス検出手段には商用電源電圧の半波整流波形を用いており、前記商用電源電圧が正となる１半波に対応した前記第１のパルス幅が前記ゼロクロス信号の立ち上がりから立ち下がりまでの時間、且つ前記商用電源電圧が負となる半周期に対応した前記第２のパルス幅が前記ゼロクロス信号の立ち下がりから立ち上がりまでの時間、またはその反対の組み合せとする。
【００３４】
または、ゼロクロス検出手段には商用電源電圧の全波整流波形を用いており、前記商用電源電圧が正となる１半波に対応した前記第１のパルス幅が前記ゼロクロス信号のＮ番目の立ち上がりからＮ＋１番目の立ち上がりまでの時間、且つ前記商用電源電圧が負となる１半波に対応した前記第２のパルス幅が前記ゼロクロス信号のＮ＋１番目の立ち上がりからＮ＋２番目の立ち上がりまでの時間、または前記商用電源電圧が正となる１半波に対応した前記第１のパルス幅が前記ゼロクロス信号のＮ番目の立ち下がりからＮ＋１番目の立ち下がりまでの時間、且つ前記商用電源電圧が負となる１半波に対応した前記第２のパルス幅が前記ゼロクロス信号のＮ＋１番目の立ち下がりからＮ＋２番目の立ち下がりまでの時間とする。
【００３５】
記録材上にトナー像を形成する画像形成部と、該トナー像を加熱して該記録材に定着させる定着装置と、該定着装置に供給する電力を制御する電力制御装置とを備える画像形成装置において、前記電力制御装置を請求項１の電力制御によって構成する。
【図面の簡単な説明】
【図１】本発明における画像形成装置の概略図
【図２】本発明第一の実施例におけるセラミックヒータの駆動回路図
【図３】本発明第一の実施例におけるゼロクロス検知回路
【図４】本発明第一の実施例におけるゼロクロス信号
【図５】本発明第一の実施例におけるフローチャート
【図６】本発明第二の実施例におけるにゼロクロス検知回路
【図７】本発明第二の実施例におけるゼロクロス信号
【図８】本発明第二の実施例におけるフローチャート
【符号の説明】
１０９  定着器
１０９ａ  定着フィルム
１０９ｂ  加圧ローラ
１０９ｃ  セラミックヒータ
１０９ｄ  サーミスタ
１  商用電源
４  トライアック
７  フォトトライアックカプラ
１１  ゼロクロス検知回路
１２６  エンジンコントローラ
１５  ダイオードブリッジ
１６  ダイオード
１９  トランジスタ
２０  フォトカプラ
【図１】
2004343821.tif 000003
【図２】
2004343821.tif 000004
【図３】
2004343821.tif 000005
【図４】
2004343821.tif 000006
【図５】
2004343821.tif 000007
【図６】
2004343821.tif 000008
【図７】
2004343821.tif 000009
【図８】
2004343821.tif 000010